(57)【要約】  【課題】早送りまたは巻戻し中に磁気テープの走行速度を任意に可変することが可能な磁気テープ処理装置およびビデオデッキを提供する。  【解決手段】早送りまたは巻戻し時のキャプスタンの回転周波数の上限値３５．６４ＫＨｚと下限値１０．８０ＫＨｚとを設定し、上限値から下限値までの範囲を２５６ステップに区切る。磁気テープを収納するカセットがビデオデッキに挿入された後早送りボタンまたは巻戻しボタンが押されると、早送りまたは巻戻しの開始時のキャプスタンの回転周波数として上限値を設定し、上限値でキャプスタンを回転させて、磁気テープの早送りまたは巻戻しを開始する。早送りまたは巻戻し中に早送りボタンまたは巻戻しボタンが押される毎に、キャプスタンの回転周波数を約３６ステップずつ下げて８段階に可変設定し、設定した回転周波数でキャプスタンを回転させて、磁気テープの走行速度を１００倍速から３０倍速の範囲で８段階に可変する。【選択図】  図６
2005158177.tif 000002
【特許請求の範囲】
【請求項１】
磁気テープに対する情報の再生または記録の処理を停止した状態で、早送りキーまたは巻戻しキーが操作されると、磁気テープを再生または記録時よりも高速で走行させて当該テープの早送りまたは巻戻しを行うビデオデッキにおいて、
磁気テープを走行させるためのキャプスタンの回転を制御するキャプスタン制御手段と、
磁気テープの走行速度を可変するために前記キャプスタンの回転速度を設定するとともに、当該設定した回転速度に応じた磁気テープの走行速度を表示手段に表示させるマイクロコンピュータと、
磁気テープの早送りまたは巻戻し時の前記キャプスタンの回転速度の上限値を記憶する不揮発性メモリと、を備え、
前記マイクロコンピュータは、
前記不揮発性メモリに記憶された前記キャプスタンの回転速度の上限値から予め設定された前記キャプスタンの回転速度の下限値までの範囲を、所定の間隔で区切って前記キャプスタンの回転速度の可変設定データを生成し、
前記早送りキーまたは前記巻戻しキーが操作されると、前記上限値から前記下限値までの範囲で所定の回転速度を早送りまたは巻戻しの開始時の前記キャプスタンの回転速度に設定して、当該回転速度で前記キャプスタン制御手段により前記キャプスタンを回転させて磁気テープの早送りまたは巻戻しを開始し、
磁気テープの早送りまたは巻戻し中に、前記早送りキーまたは前記巻戻しキーが再度操作される毎に、前記可変設定データに基づいて前記キャプスタンの回転速度を段階的に可変設定して、設定した回転速度で前記キャプスタン制御手段により前記キャプスタンを回転させて磁気テープの走行速度を可変し、
磁気テープの早送りまたは巻戻しを停止すると、停止直前に設定した前記キャプスタンの回転速度を、次の磁気テープの早送りまたは巻戻しの開始時のキャプスタンの回転速度として設定するために前記不揮発性メモリに記憶することを特徴とするビデオデッキ。
【請求項２】
磁気テープに対する情報の処理を停止した状態で、磁気テープを情報処理時よりも高速で走行させて当該テープの早送りまたは巻戻しを行う磁気テープ処理装置において、
磁気テープを走行させるためのキャプスタンの回転を制御するキャプスタン制御手段と、
磁気テープの早送りまたは巻戻し中に磁気テープの走行速度を可変することを指示するために操作される指示手段と、
磁気テープの走行速度を可変するために前記キャプスタンの回転速度を設定する設定手段と、
早送りまたは巻戻し時の前記キャプスタンの回転速度の上限値と下限値とを記憶する記憶手段と、を備え、
前記設定手段は、磁気テープの早送りまたは巻戻し中に前記指示手段が操作される毎に、前記記憶手段の前記上限値から前記下限値までの範囲で前記キャプスタンの回転速度を段階的に可変設定し、
前記キャプスタン制御手段は、前記設定手段が設定した前記回転速度で前記キャプスタンを回転させることを特徴とする磁気テープ処理装置。
【請求項３】
請求項２に記載の磁気テープ処理装置において、
前記設定手段は、前記記憶手段の前記上限値から前記下限値までの範囲を所定の間隔で区切って前記キャプスタンの回転速度の可変設定データを生成し、前記指示手段が操作される毎に、前記可変設定データに基づいて前記キャプスタンの回転速度を段階的に可変設定することを特徴とする磁気テープ処理装置。
【請求項４】
請求項２または請求項３に記載の磁気テープ処理装置において、
前記指示手段は、磁気テープの早送りを指示するために操作される早送りキーと、巻戻しを指示するために操作される巻戻しキーとから構成され、
前記設定手段は、前記早送りキーまたは前記巻戻しキーが操作されると、所定の回転速度を早送りまたは巻戻し開始時のキャプスタンの回転速度に設定し、その後、磁気テープの早送りまたは巻戻し中に前記早送りキーまたは前記巻戻しキーが再度操作される毎に、前記キャプスタンの回転速度を段階的に可変設定することを特徴とする磁気テープ処理装置。
【請求項５】
請求項２ないし請求項４のいずれかに記載の磁気テープ処理装置において、
前記設定手段は、磁気テープの早送りまたは巻戻しが停止したときに、停止直前に設定した前記キャプスタンの回転速度を前記記憶手段に記憶し、次に磁気テープの早送りまたは巻戻しを行うときに、記憶した回転速度を早送りまたは巻戻しの開始時のキャプスタンの回転速度に設定することを特徴とする磁気テープ処理装置。
【請求項６】
請求項２ないし請求項５のいずれかに記載の磁気テープ処理装置において、
前記設定手段が設定した前記キャプスタンの回転速度に応じた磁気テープの走行速度を表示手段に表示させることを特徴とする磁気テープ処理装置。
【発明の詳細な説明】
【技術分野】
【０００１】
本発明は、ビデオデッキのような磁気テープ処理装置に関し、特に挿入されたカセットの磁気テープの早送りまたは巻戻し機能に関するものである。
【背景技術】
【０００２】
例えばビデオデッキのような磁気テープ処理装置は、磁気テープを収納したカセットが挿入された後に、再生キーまたは記録キーが操作されると、カセットから磁気テープを引き出して磁気ヘッドを有するシリンダに巻き付け、キャプスタンにより磁気テープを走行させながらシリンダを回転させて、磁気テープに記録された情報の再生または磁気テープへの情報の記録を行う。また、磁気テープ処理装置は、磁気テープに対する情報の再生または記録の処理を停止した状態で、早送りキーまたは巻戻しキーが操作されると、磁気テープをシリンダから離し、キャプスタンにより磁気テープを再生または記録時よりも高速で走行させて、当該テープの早送りまたは巻戻しを行う。このような磁気テープ処理装置には、例えば下記の特許文献１のように、磁気テープに記録された情報の再生中に、再生キーおよび音量調節キーが操作されると、キャプスタンとシリンダの回転速度をそれぞれ制御することにより、磁気テープの走行速度を可変するものがある。
【０００３】
【特許文献１】特開平１１−２５０５３３号公報
【発明の開示】
【発明が解決しようとする課題】
【０００４】
一般に、磁気テープ処理装置には、情報の再生または記録の処理を停止した状態での磁気テープの早送りまたは巻戻しは、速ければ速いほど良いという要求があるため、早送りまたは巻戻し時の磁気テープの走行速度を、例えば通常再生時の１００倍以上というように相当速く設定している。ところが、早送りまたは巻戻し時の磁気テープの走行速度が速すぎると、早送りまたは巻戻し中に、磁気テープの位置（磁気テープの記録情報の位置であって時間で表されている）を表示する表示部を見て、磁気テープを所望の位置に止めようとして停止キーを操作しても、磁気テープが行き過ぎて所望の位置に止められないという問題がある。また、磁気テープに急ブレーキがかかった状態となって、磁気テープが傷ついたり最悪の場合は切れたりするという問題が生じることもある。
【０００５】
本発明は、上記課題を解決するものであって、その目的とするところは、早送りまたは巻戻し中に磁気テープの走行速度を任意に可変することが可能な磁気テープ処理装置およびビデオデッキを提供することにある。
【課題を解決するための手段】
【０００６】
本発明では、磁気テープに対する情報の処理を停止した状態で、磁気テープを情報処理時よりも高速で走行させて当該テープの早送りまたは巻戻しを行う磁気テープ処理装置において、磁気テープを走行させるためのキャプスタンの回転を制御するキャプスタン制御手段と、磁気テープの早送りまたは巻戻し中に磁気テープの走行速度を可変することを指示するために操作される指示手段と、磁気テープの走行速度を可変するためにキャプスタンの回転速度を設定する設定手段と、早送りまたは巻戻し時のキャプスタンの回転速度の上限値と下限値とを記憶する記憶手段とを設ける。このような構成において、設定手段は、磁気テープの早送りまたは巻戻し中に指示手段が操作される毎に、記憶手段の上限値から下限値までの範囲でキャプスタンの回転速度を段階的に可変設定し、キャプスタン制御手段は、設定手段が設定した回転速度でキャプスタンを回転させる。
【０００７】
上記のようにすると、磁気テープの早送りまたは巻戻し中に指示手段を操作する毎に、キャプスタンの回転速度が上限値から下限値までの範囲で段階的に可変設定され、設定された回転速度でキャプスタンが回転するので、早送りまたは巻戻し中に磁気テープの走行速度を任意に可変することが可能となる。このため、早送りまたは巻戻し中の磁気テープの走行速度を速くすることで、磁気テープの早送りまたは巻戻しを早く終えることができ、また、磁気テープの走行速度を遅くすることで、磁気テープを所望の位置に確実に止めることができ、その際に磁気テープに急ブレーキがかからなくなり、磁気テープの損傷を防止することができる。
【０００８】
また、本発明においては、設定手段は、記憶手段の上限値から下限値までの範囲を所定の間隔で区切ってキャプスタンの回転速度の可変設定データを生成し、指示手段が操作される毎に、可変設定データに基づいてキャプスタンの回転速度を段階的に可変設定する。このようにすると、早送りまたは巻戻し時のキャプスタンの回転速度の上限値と下限値とを予め設定しておくことで、設定手段が自動的に上限値から下限値までの範囲を所定の間隔で区切って、キャプスタンの回転速度の可変設定データを細かく生成する。また、キャプスタンの回転速度を可変設定する段階数を予め設定しておくことで、早送りまたは巻戻し中に指示手段を操作する毎に、設定手段が可変設定データに基づいてキャプスタンの回転速度を設定した段階数で可変設定する。
【０００９】
また、本発明においては、指示手段は、磁気テープの早送りを指示するために操作される早送りキーと、巻戻しを指示するために操作される巻戻しキーとから構成される。この場合、設定手段は、早送りキーまたは巻戻しキーが操作されると、所定の回転速度を早送りまたは巻戻し開始時のキャプスタンの回転速度に設定し、その後、磁気テープの早送りまたは巻戻し中に早送りキーまたは巻戻しキーが再度操作される毎に、キャプスタンの回転速度を段階的に可変設定する。このように早送りキーまたは巻戻しキーを、早送りまたは巻戻し中の磁気テープの走行速度の可変を指示する指示手段として兼用すると、専用のキーを設ける必要がなくなり、装置のコストを低く抑えることができる。また、早送り時は早送りキーだけを、巻戻し時は巻戻しキーだけを操作すればよいので、ユーザが磁気テープの走行速度を可変させようとして間違って他のキーを操作するのを防止することができる。
【００１０】
また、本発明においては、設定手段は、磁気テープの早送りまたは巻戻しが停止したときに、停止直前に設定したキャプスタンの回転速度を記憶手段に記憶し、次に磁気テープの早送りまたは巻戻しを行うときに、記憶した回転速度を早送りまたは巻戻しの開始時のキャプスタンの回転速度に設定する。このようにすると、所望の速度で磁気テープを走行させて早送りまたは巻戻しを行った後、次に早送りまたは巻戻しを行う際に、前回の所望の速度で即座に磁気テープの走行を開始することができるので、再び磁気テープの走行速度を所望の速度にするために指定手段を操作する手間が省ける。
【００１１】
また、本発明においては、設定手段が設定したキャプスタンの回転速度に応じた磁気テープの走行速度を表示手段に表示させる。このようにすると、早送りまたは巻戻し中に表示手段を見ながら指示手段を操作して、磁気テープの走行速度を所望の速度に確実かつ容易に可変することが可能となる。
【００１２】
さらに、本発明の典型例では、磁気テープに対する情報の再生または記録の処理を停止した状態で、早送りキーまたは巻戻しキーが操作されると、磁気テープを再生または記録時よりも高速で走行させて当該テープの早送りまたは巻戻しを行うビデオデッキにおいて、磁気テープを走行させるためのキャプスタンの回転を制御するキャプスタン制御手段と、磁気テープの走行速度を可変するためにキャプスタンの回転速度を設定するとともに、当該設定した回転速度に応じた磁気テープの走行速度を表示手段に表示させるマイクロコンピュータと、磁気テープの早送りまたは巻戻し時のキャプスタンの回転速度の上限値を記憶する不揮発性メモリとを設ける。このような構成において、マイクロコンピュータは、不揮発性メモリに記憶されたキャプスタンの回転速度の上限値から予め設定されたキャプスタンの回転速度の下限値までの範囲を、所定の間隔で区切ってキャプスタンの回転速度の可変設定範囲データを生成する。そして、マイクロコンピュータは、早送りキーまたは巻戻しキーが操作されると、上記の上限値から下限値までの範囲で所定の回転速度を早送りまたは巻戻しの開始時のキャプスタンの回転速度に設定して、当該回転速度でキャプスタン制御手段によりキャプスタンを回転させて磁気テープの早送りまたは巻戻しを開始する。また、マイクロコンピュータは、磁気テープの早送りまたは巻戻し中に、早送りキーまたは巻戻しキーが再度操作される毎に、可変設定範囲データに基づいてキャプスタンの回転速度を段階的に可変設定して、設定した回転速度でキャプスタン制御手段によりキャプスタンを回転させて磁気テープの走行速度を可変する。さらに、マイクロコンピュータは、磁気テープの早送りまたは巻戻しを停止すると、停止直前に設定したキャプスタンの回転速度を、次の磁気テープの早送りまたは巻戻しの開始時のキャプスタンの回転速度として設定するために不揮発性メモリに記憶する。
【００１３】
上記のように不揮発性メモリを設けると、設計段階において、キャプスタン回転用のモータの性能等からキャプスタンの回転速度の性能の上限値を予め設定しておき、磁気テープの早送りまたは巻戻しを行って、上記の性能の上限値から予め設定しておいた下限値までの範囲でキャプスタンの回転速度を可変させて行き、磁気テープに異常が生じることのない最適な上限値を得たときに、この最適な上限値をユーザ使用時におけるキャプスタンの回転速度の上限値として設定して、不揮発性メモリに記憶させることができる。
【発明の効果】
【００１４】
本発明によれば、磁気テープの早送りまたは巻戻し中に指示手段を操作する毎に、キャプスタンの回転速度が上限値から下限値までの範囲で段階的に可変設定され、設定された回転速度でキャプスタンが回転するので、早送りまたは巻戻し中に磁気テープの走行速度を任意に可変することが可能となる。
【発明を実施するための最良の形態】
【００１５】
図１は、本発明の実施形態に係る磁気テープ処理装置の一例であるビデオデッキの外観図である。図１において、１００はビデオデッキ、１はビデオデッキ１００の本体である。本体１の前面には、磁気テープＴ（例えば、図２に図示）を収納したカセットＣ（例えば、図２に図示）が挿入される挿入口２と、ビデオデッキ１００の動作状態や時刻等を表示する表示部３と、電源ボタンや再生ボタンや録画ボタン等からなる操作部４が設けられている。
【００１６】
図２および図３は、ビデオデッキ１００の内部に備わるローディング機構を示す概略平面図である。図２において、１０はローディング機構、１１はローディング機構１０の基部としてのシャーシである。Ｃは磁気テープＴを収納したカセットであって、挿入口２から挿入されてシャーシ１１上のリール台座１１ａ、１１ｂに供給リールＬａと巻取リールＬｂとがそれぞれセットされている。セットされたリールＬａ、Ｌｂは、図示しないモータやギヤからなる回転機構によって回転させられてテープＴを供給しながら巻き取って行く。５ａはガイドポストであって、図示しないモータ、ギヤおよびアームからなるスライド機構によりシャーシ１１に形成されたガイド溝１１ｃに沿ってＵ、Ｄ方向に移動する。ガイドポスト５ａは、Ｐ１位置からＰ２位置へのＵ方向の移動にともなってカセットＣ内からテープＴを引き出し、図３に示すようにテープＴをシリンダ６の側面に巻き付ける。５ｂはガイドポスト５ａとともにＵ、Ｄ方向に移動する傾斜ピンである。傾斜ピン５ｂは、Ｐ１位置からＰ２位置へのＵ方向の移動にともなって磁気テープＴをシリンダ６に所定の角度（１９０°程度）に渡って螺旋状に巻き付ける。１２は磁気テープＴがシリンダ６に巻き付けられたときに磁気テープＴにテンションを付与するテンションポストである。７はシリンダ６の側面に備わる磁気ヘッドである。この磁気ヘッド７は、図示しないモータによってシリンダ６とともに所定の回転速度で回転することにより、磁気テープＴに記録された情報を読み取ったり、磁気テープＴに情報を書き込んだりする。８は磁気テープＴを送り方向Ｆまたは戻し方向Ｒ（図２）に走行させるために回転するキャプスタン、９はキャプスタン８との間に磁気テープＴを挟み込むピンチローラである。
【００１７】
上記の構造において、図３に示すようにガイドポスト５ａをＰ２位置に移動させて、磁気テープＴをシリンダ６に巻き付けた状態で、キャプスタン８を回転させて磁気テープＴをＦ方向に走行させながら、シリンダ６と磁気ヘッド７を回転させることにより、磁気テープＴに記録された情報の再生または磁気テープＴへの情報の記録を行う。また、磁気テープＴに対する情報の再生または記録を停止し、ガイドポスト５ａをＰ２位置から図２に示すようにＰ１位置に移動させて、磁気テープＴをシリンダ６から離した状態で、キャプスタン８を回転させて磁気テープＴを再生または記録時よりも高速でＦ方向またはＲ方向に走行させ、磁気テープＴの早送りまたは巻戻しを行う。なお、ガイドポスト５ａをＰ１位置よりも若干Ｕ方向に移動させて、磁気テープＴをシリンダ６に接触しない程度にカセットＣ内から引き出した状態で、キャプスタン８を回転させて磁気テープＴの早送りまたは巻戻しを行う場合もある。
【００１８】
図４は、上記ビデオデッキ１００の電気的構成を示すブロック図である。図４において、２０はビデオデッキ１００の各部を制御するマイクロコンピュータ（以下、マイコンという）であって、ＣＰＵ２０ａ、ＲＯＭ２０ｂ、ＲＡＭ２０ｃ、および磁気テープＴの位置（磁気テープＴの記録情報の位置であって、時間で表されている）をカウントするカウンタ２０ｄ等から構成されている。１３は前述の磁気ヘッド７の駆動を制御するヘッド制御部である。このヘッド制御部１３は、磁気ヘッド７が磁気テープＴから読み取った情報を信号処理部１４に送ったり、信号処理部１４から送られて来る情報を磁気ヘッド７を駆動して磁気テープＴに記録したりする。信号処理部１４は、ヘッド制御部１３から送られて来る磁気テープＴの情報を再生処理してテレビモニタ３０に表示させたり、外部から入力される信号を情報処理してヘッド制御部１３に送ったりする。１５は前述のシリンダ６を回転させるシリンダ用モータ、１６はシリンダ用モータ１５の駆動を制御するシリンダ制御部である。１７は前述のキャプスタン８を回転させるキャプスタン用モータ、１８はキャプスタン用モータ１７の駆動を制御するキャプスタン制御部である。１９は磁気センサからなる回転センサであって、キャプスタン８に取り付けた磁石を検知してキャプスタン８の回転速度を表す回転周波数を出力する。キャプスタン制御部１８は、回転センサ１９から出力されるキャプスタン８の回転周波数に基づいてキャプスタン用モータ１７を駆動させて、キャプスタン８を所定の回転周波数で回転させる。キャプスタン８を回転させる所定の回転周波数は、後述するようにマイコン２０が設定する。また、マイコン２０が設定するキャプスタン８の回転周波数の下限値は、後述するように予め設定されてマイコン２０のＲＯＭ２０ｂに記録され、キャプスタン８の回転周波数の上限値は、後述するように設定されて不揮発性メモリ２１に記録される。さらに、マイコン２０が設定したキャプスタン８の回転周波数に応じた磁気テープＴの走行速度は、後述するようにマイコン２０が信号処理部１４を介してテレビモニタ３０にＯＳＤ（On Screen Display）表示される。
【００１９】
２１はＥＥＰＲＯＭ等からなる不揮発性メモリ、３はカウンタ２０ｄがカウントした磁気テープＴの位置（時間）等を表示する前述の表示部、４は前述の操作部である。操作部４には、再生ボタンＢ１、停止ボタンＢ２、早送りボタンＢ３、巻戻しボタンＢ４、録画ボタンＢ５、電源ボタンＢ６等が設けられている。２２はリモコン２３からの信号を受信するリモコン受信部である。リモコン２３には、操作部４と同様に、再生ボタンＢ１、停止ボタンＢ２、早送りボタンＢ３、巻戻しボタンＢ４、録画ボタンＢ５、電源ボタンＢ６等が設けられている。早送りボタンＢ３または巻戻しボタンＢ４は、磁気テープＴの早送りまたは巻戻しを指示するために操作されるだけでなく、後述するように早送りまたは巻戻し中に磁気テープＴの走行速度を可変することを指示するためにも操作される。２４はパーソナルコンピュータ等からなる上位装置４０と接続して通信するためのインターフェイスである。上位装置４０は、設計段階において、早送りまたは巻戻し時のキャプスタン８の回転周波数の上限値を設定するときに接続する。
【００２０】
上記の構成において、マイコン２０は、本発明におけるマイクロコンピュータと設定手段の一実施形態を構成する。不揮発性メモリ２１は、本発明における不揮発性メモリの一実施形態を構成し、ＲＯＭ２０ｂとともに、本発明における記憶手段の一実施形態を構成する。キャプスタン制御部１８は、本発明におけるキャプスタン制御手段の一実施形態を構成する。早送りボタンＢ３と巻戻しボタンＢ４は、本発明における早送りキーと巻戻しキーの一実施形態をそれぞれ構成し、ともに本発明における指示手段の一実施形態を構成する。テレビモニタ３０は、本発明における表示手段の一実施形態を構成する。
【００２１】
図５および図６は、キャプスタン８の回転周波数の設定状況を説明するための図である。詳しくは、図５は設計段階における早送りまたは巻戻し時のキャプスタン８の回転周波数の上限値を設定する状況を示していて、図６はユーザが使用する際の早送りまたは巻戻し時のキャプスタン８の回転周波数を可変設定する状況を示している。なお、図５および図６を説明するにあたり、前述のマイコン２０のＲＯＭ２０ｂ（図４）の記憶内容の一例を示す図７と、前述の不揮発性メモリ２１（図４）の記憶内容の一例を示す図８を適宜参照する。
【００２２】
まず、図５を参照して設計段階における早送りまたは巻戻し時のキャプスタン８の回転周波数の上限値の設定状況について説明する。前述の回転センサ１９（図４）は、キャプスタン８（図２）を１回転させたときに３６０パルスの信号を出力する。磁気テープＴ（図２）に記録された情報の標準再生時は、キャプスタン８を１秒間に３回転させるため、回転センサ１９が出力する信号、即ち標準再生時のキャプスタン８の回転周波数は１０８０Ｈｚである。磁気テープＴの早送りまたは巻戻し時のキャプスタン８の回転周波数の下限値は、標準再生時よりも速い速度で磁気テープを走行させ、かつ表示部３（図１）に表示される磁気テープＴの位置を見ながらリモコン２３等の停止ボタンＢ２（図４）を押すことにより、磁気テープＴを殆ど誤差なく所望の位置に止められるような値に設定する。つまり、下限値は、後述する上限値のように磁気テープＴの損傷のおそれがないため、上限値のように慎重に最適値を設定しなくてもよい。本実施形態では、このような下限値を、標準再生時の回転周波数１０８０Ｈｚを１倍速とした場合の１０倍速に相当する１０．８０ＫＨｚに予め設定する。この設定した早送りまたは巻戻し時の下限値は、前述のインターフェイス２４（図４）によって接続した上位装置４０（図４）のメモリやハードディスクからなる記憶部に予め記憶しておくとともに、図７に矢印Ｘ１で示すようにＲＯＭ２０ｂの所定の領域に予め記憶しておく。前述のキャプスタン用モータ１７（図４）でキャプスタン８を可能な限り速く回転させた場合のキャプスタン８の回転周波数である性能の上限値は、モータ１７の性能等を考慮して設定する。本実施形態では、このような性能の上限値を、標準再生時の回転周波数の５０倍速に相当する５４．００ＫＨｚに予め設定する。この設定した性能の上限値も、上位装置４０の記憶部に予め記憶しておく。
【００２３】
上記のように、キャプスタン８の回転周波数の早送りまたは巻戻し時の下限値と性能上の上限値とを設定すると、上位装置４０において、性能の上限値から早送りまたは巻戻し時の下限値までの範囲でキャプスタン８の回転周波数を可変設定するための１バイト（２５６通り）の可変設定データ（図示省略）を生成する。つまり、性能の上限値から早送りまたは巻戻し時の下限値までの範囲を２５６ステップに区切って可変設定データを生成する（（５４．００ＫＨｚ−１０．８０ＫＨｚ）／２５６≒１６９Ｈｚ、１ステップ当たり約１６９Ｈｚ）。可変設定データを生成すると、ビデオデッキ１００の挿入口２からカセットＣを挿入した後に、可変設定データの中から例えば下限値１０．８０ＫＨｚを、上位装置４０からマイコン２０に転送する。これにより、マイコン２０は、転送された下限値を早送りまたは巻戻しの開始時のキャプスタン８の回転周波数として設定し、その下限値で前述のキャプスタン制御部１８によりキャプスタン８を回転させて、カセットＣの磁気テープＴを走行させ早送りまたは巻戻しを行う。
【００２４】
そして、下限値での磁気テープＴの早送りまたは巻戻し中に磁気テープＴの切れや異常音の発生等の異常が生じなければ、早送りまたは巻戻し中に、或いは早送りまたは巻戻しの停止後に、可変設定データに基づいて下限値から所定ステップ数上げた回転周波数を上位装置４０からマイコン２０に転送する。これにより、マイコン２０は、転送された回転周波数をキャプスタン８の回転周波数として可変設定し、その回転周波数でキャプスタン制御部１８によりキャプスタン８を回転させて、磁気テープＴを走行させ早送りまたは巻戻しを行う。このようにキャプスタン８の回転周波数を可変設定データに基づいて上げて行って、磁気テープＴの早送りまたは巻戻しを行う一連の手順を何度か繰り返し行うと、早送りまたは巻戻し中に磁気テープＴに何ら異常が生じない最速のキャプスタン８の回転周波数を得ることができる。本実施形態では、このような最速の回転周波数として、標準再生時の回転周波数（１０８０Ｈｚ）を１倍速とした場合の３３倍速に相当する３５．６４ＫＨｚを得る。最速のキャプスタン８の回転周波数を得ると、この回転周波数をユーザが使用する場合の早送りまたは巻戻し時におけるキャプスタン８の回転周波数の最適な上限値として設定して、上位装置４０によって、図８に矢印Ｙ１で示すように不揮発性メモリ２１の所定の領域に記憶する。
【００２５】
次に、図６を参照してユーザが使用する際における早送りまたは巻戻し時のキャプスタン８の回転周波数の可変設定状況について説明する。上述したように早送りまたは巻戻し時におけるキャプスタン８の回転周波数の下限値１０．８０ＫＨｚがＲＯＭ２０ｂに記憶され、上限値３５．６４ＫＨｚが不揮発性メモリ２１に記憶されると、マイコン２０は、上限値から下限値までの範囲でキャプスタン８の回転周波数を可変設定するための１バイト（２５６通り）の可変設定データを生成する。つまり、マイコン２０は、上限値から下限値までの範囲を２５６ステップに区切って可変設定データを生成する（（３５．６４ＫＨｚ−１０．８０ＫＨｚ）／２５６≒９７Ｈｚ、１ステップ当たり約９７Ｈｚ）。可変設定データを生成すると、マイコン２０はその可変設定データを、図８に矢印Ｙ３で示すように不揮発性メモリ２１の所定の領域に記憶する。キャプスタン８の回転周波数の可変段回数は、図７に矢印Ｘ３で示すように予め「８」に設定されてＲＯＭ２０ｂに記憶されているので、マイコン２０は、下記のように可変設定データの２５６ステップを８段階で可変設定して行く（２５６ステップ／７≒３６ステップ、１段階当たり３６ステップまたは３７ステップ）。
【００２６】
ユーザによってビデオデッキ１００の挿入口２からカセットＣが挿入された後、リモコン２３（または操作部４）の早送りボタンＢ３または巻戻しボタンＢ４が押されると、マイコン２０は、図７に矢印Ｘ２で示すように、早送りまたは巻戻し時のキャプスタン８の回転周波数の初期値が予め「上限値」に設定されてＲＯＭ２０ｂに記憶されているので、上限値３５．６４ＫＨｚを早送りまたは巻戻しの開始時のキャプスタン８の回転周波数として設定する。そして、マイコン２０は、設定した上限値３５．６４ＫＨｚでキャプスタン制御部１８によりキャプスタン８を回転させて、カセットＣの磁気テープＴを走行させ早送りまたは巻戻しを開始する。本実施形態のビデオデッキ１００では、キャプスタン８周辺に備わるギヤ同志のギヤ比により、キャプスタン８の回転速度の約３倍が、磁気テープＴの走行速度となるように設計されている。このため、上限値３５．６４ＫＨｚでキャプスタン８を回転させると、磁気テープＴの走行速度の標準再生時（１倍速）からの倍数は、キャプスタン８の回転周波数の標準再生時（１倍速）からの倍数である３３倍速を約３倍した１００倍速となる。また、下限値１０．８０ＫＨｚでキャプスタン８を回転させると、磁気テープＴの走行速度の標準再生時（１倍速）からの倍数は、キャプスタン８の回転周波数の標準再生時（１倍速）からの倍数である１０倍速を約３倍した３０倍速となる。
【００２７】
上記のように１００倍速で磁気テープＴを走行させて、早送りまたは巻戻しを行っている最中に、早送りボタンＢ３または巻戻しボタンＢ４が再度押されると、マイコン２０は、不揮発性メモリ２１に記憶した可変設定データ（図８の矢印Ｙ３）に基づいてキャプスタン８の回転周波数を１段階（３６ステップまたは３７ステップ）下げた値に可変設定する。そして、マイコン２０は、可変設定した値でキャプスタン制御部１８によりキャプスタン８を回転させて、磁気テープＴを走行させ早送りまたは巻戻しを継続する。これにより、磁気テープＴの走行速度は、１００倍速から９０倍速に可変する。そしてまた、早送りまたは巻戻し中に早送りボタンＢ３または巻戻しボタンＢ４が再度押されると、マイコン２０がキャプスタン８の回転周波数を１段階下げた値に可変設定してキャプスタン８を回転させるので、磁気テープＴの走行速度が８０倍速に可変する。つまり、マイコン２０は、早送りまたは巻戻し中に早送りボタンＢ３または巻戻しボタンＢ４が押される毎に、キャプスタン８の回転周波数を上限値３５．６４ＫＨｚから下限値１０．８０ＫＨｚまで１段階ずつ下げてキャプスタン８を回転させ、磁気テープＴの走行速度を１００倍速、９０倍速、８０倍速、・・・、３０倍速というように、１００倍速から３０倍速まで１０倍速ずつ下げて行く。
【００２８】
そして、早送りまたは巻戻し中に停止ボタンＢ２（図４）が押されると、マイコン２０は、キャプスタン制御部１８によりキャプスタン８の回転を停止して、磁気テープＴの早送りまたは巻戻しを停止する。停止後、マイコン２０は、停止直前に設定したキャプスタン８の回転周波数を、図８に矢印Ｙ２で示すように前回値として不揮発性メモリ２１に記憶する。この記憶した前回値は、次に磁気テープＴの早送りまたは巻戻しを行うときに、早送りまたは巻戻しの開始時のキャプスタン８の回転周波数として設定される。
【００２９】
図９は、上述したテレビモニタ３０の表示例を示す図である。テレビモニタ３０の画面中に示す５０は、早送りまたは巻戻し時の磁気テープＴの走行速度をＯＳＤ表示したテープ走行速度表示である。磁気テープＴの走行速度が１００倍速のときは、ブロック５１が８つ表示され、磁気テープＴの走行速度が３０倍速のときは、ブロック５１が１つだけ表示される。図９では、ブロック５１が７つ表示されているので、磁気テープＴの走行速度が９０倍速であることを表している。マイコン２０は、上述したように早送りまたは巻戻し中にキャプスタン８の回転周波数を可変設定する毎に、設定した回転周波数に応じた磁気テープＴの走行速度を、テープ走行速度表示５０で更新表示する。
【００３０】
図１０は、ビデオデッキ１００において磁気テープＴの早送りまたは巻戻しを行うときの手順を示すフローチャートである。なお、各処理は、マイコン２０がＲＯＭ２０ｂに記憶されている早送り・巻戻し速度可変プログラム（図７の矢印Ｘ４）に基づいて実行する。図１０において、ユーザによって挿入口２からカセットＣが挿入された後、リモコン２３等の早送りボタンＢ３または巻戻しボタンＢ４が押されてＯＮ状態になると（ステップＳ１：ＹＥＳ）、マイコン２０は、初期状態か否かを判定する（ステップＳ２）。このとき、ビデオデッキ１００を使用してから初めて早送りまたは巻戻しをする場合や、ビデオデッキ１００への電力供給が断たれた後に再び電力供給が開始されてから初めて早送りまたは巻戻しをする場合等には、マイコン２０は、初期状態であると判断する（ステップＳ２：ＹＥＳ）。このように判断すると、マイコン２０は、キャプスタン８の回転周波数の初期値（図７の矢印Ｘ２）をＲＯＭ２０ｂから読み込んで、初期値が上限値であることを確認した後、上限値（図８の矢印Ｙ１）を不揮発性メモリ２１から読み込む（ステップＳ３）。そして、マイコン２０は、読み込んだ上限値（３５．６４ＫＨｚ）を、今回の早送りまたは巻戻しの開始時のキャプスタン８の回転周波数として設定し、図２に示したようにシリンダ６から磁気テープＴを離した状態で、設定した上限値でキャプスタン制御部１８によりキャプスタン８を回転させて、カセットＣの磁気テープＴを走行させ早送りまたは巻戻しを開始する（ステップＳ５）。この直後、マイコン２０は、設定した上限値に応じた磁気テープＴの走行速度（１００倍速）を、上述したようにテレビモニタ３０に表示する（ステップＳ６）。
【００３１】
一方、ステップＳ２で、ビデオデッキ１００を使用してから何度も早送りまたは巻戻しをしている場合や、ビデオデッキ１００への電力供給が断たれた後に再び電力供給が開始されてから何度も早送りまたは巻戻しをしている場合には、マイコン２０は、初期状態でない判断する（ステップＳ２：ＮＯ）。このように判断すると、マイコン２０は、前回の早送りまたは巻戻しの停止直前に設定したキャプスタン８の回転周波数（図８の矢印Ｙ２）を不揮発性メモリ２１から読み込む（ステップＳ４）。そして、マイコン２０は、読み込んだ前回の回転周波数を、今回の早送りまたは巻戻しの開始時のキャプスタン８の回転周波数として設定し、シリンダ６から磁気テープＴを離した状態で、設定した回転周波数でキャプスタン制御部１８によりキャプスタン８を回転させて、カセットＣの磁気テープＴを走行させ早送りまたは巻戻しを開始する（ステップＳ５）。この直後、マイコン２０は、設定したキャプスタン８の回転周波数に応じた磁気テープＴの走行速度をテレビモニタ３０に表示する（ステップＳ６）。
【００３２】
そして、磁気テープＴの早送りまたは巻戻し中に、早送りボタンＢ３または巻戻しボタンＢ４が再度押されてＯＮ状態になると（ステップＳ７：ＹＥＳ）、マイコン２０は、キャプスタン制御部１８により回転センサ１９の出力を確認して、現在のキャプスタン８の回転周波数が下限値（１０．８０ＫＨｚ）か否かを判定する（ステップＳ８）。このとき、キャプスタン８の回転周波数が下限値でなければ（ステップＳ８：ＮＯ）、マイコン２０は、不揮発性メモリ２１の可変設定データ（図８の矢印Ｙ３）に基づいて、キャプスタン８の回転周波数を１段階（３６ステップまたは３７ステップ）下げて設定し、設定した回転周波数でキャプスタン制御部１８によりキャプスタン８を回転させて、磁気テープＴの走行速度を可変する（ステップＳ９）。この直後、マイコン２０は、１段階下げて設定したキャプスタン８の回転周波数に応じた磁気テープＴの走行速度をテレビモニタ３０に表示する（ステップＳ１１）。
【００３３】
その後、停止ボタンＢ２がＯＮ状態になることなく（ステップＳ１２：ＮＯ）、磁気テープＴが終端または先頭まで巻き切られることのないまま（ステップＳ１３：ＮＯ）、早送りボタンＢ３または巻戻しボタンＢ４が再度押されてＯＮ状態になると（ステップＳ７：ＹＥＳ）、マイコン２０は、上述したように現在のキャプスタン８の回転周波数が下限値か否かを判定する（ステップＳ８）。このとき、キャプスタン８の回転周波数がまだ下限値でなければ（ステップＳ８：ＮＯ）、マイコン２０は、上述した手順と同様にしてステップＳ９と、ステップＳ１１〜ステップＳ１３の処理を実行する。一方、ステップＳ８で、キャプスタン８の回転周波数が下限値であれば（ステップＳ８：ＹＥＳ）、マイコン２０は、キャプスタン８の回転周波数を上限値（３５．６４ＫＨｚ）に上げて設定し、設定した上限値でキャプスタン制御部１８によりキャプスタン８を回転させて、磁気テープＴの走行速度を可変する（ステップＳ１０）。この直後、マイコン２０は、設定した上限値に応じた磁気テープＴの走行速度（１００倍速）をテレビモニタ３０に表示する（ステップＳ１１）。
【００３４】
早送りまたは巻戻し中に、停止ボタンＢ２が押されてＯＮ状態になったり（ステップＳ１２：ＹＥＳ）、磁気テープＴが終端または先頭まで巻き切られたり（ステップＳ１３：ＹＥＳ）すると、マイコン２０は、キャプスタン制御部１８によりキャプスタン８の回転を停止して、磁気テープＴの早送りまたは巻戻しを停止する（ステップＳ１４）。そして、マイコン２０は、停止直前に設定したキャプスタン８の回転周波数を不揮発性メモリ２１の所定の領域（図８のＹ２欄）に上書き記憶し（ステップＳ１５）、処理を終了する。不揮発性メモリ２１に記憶したキャプスタン８の回転周波数は、次に磁気テープＴの早送りまたは巻戻しを行うときに、マイコン２０によって早送りまたは巻戻しの開始時のキャプスタン８の回転周波数として設定される（ステップＳ４）。
【００３５】
上述した手順のようにすると、磁気テープＴの早送りまたは巻戻し中に早送りボタンＢ３または巻戻しボタンＢ４を押す毎に、キャプスタン８の回転周波数が上限値から下限値までの範囲で段階的に可変設定され、設定された回転周波数でキャプスタン８が回転するので、早送りまたは巻戻し中に磁気テープＴの走行速度を任意に可変することが可能となる。このため、早送りまたは巻戻し中の磁気テープＴの走行速度を１００倍速のように速くすることで、磁気テープＴの早送りまたは巻戻しを早く終えることができる。また、磁気テープＴの走行速度を３０倍速のように遅くすることで、表示部３に表示される磁気テープＴの位置を見ながら停止ボタンＢ２を押すことにより、磁気テープＴを所望の位置に確実に止めることができ、その際に磁気テープＴに急ブレーキがかからなくなり、磁気テープＴの損傷を防止することができる。
【００３６】
また、早送りまたは巻戻しの停止直前に設定したキャプスタン８の回転周波数を、次に早送りまたは巻戻しを行う際の開始時のキャプスタンの回転速度として設定することで、所望の速度で磁気テープＴを走行させて早送りまたは巻戻しを行った後、次に早送りまたは巻戻しを行う際に、前回の所望の速度で即座に磁気テープＴの走行を開始することができるので、再び磁気テープＴの走行速度を所望の速度にするために早送りボタンＢ３または巻戻しボタンＢ４を押す手間が省ける。また、マイコン２０が設定したキャプスタン８の回転周波数に応じた磁気テープＴの走行速度をテレビモニタ３０にテープ走行速度表示５０によって表示することで、早送りまたは巻戻し中に表示５０を見ながら早送りボタンＢ３または巻戻しボタンＢ４を押して、磁気テープＴの走行速度を所望の速度に確実かつ容易に可変することが可能となる。
【００３７】
さらに、早送りボタンＢ３または巻戻しボタンＢ４を、早送りまたは巻戻し中の磁気テープＴの走行速度の可変を指示する指示手段として兼用することで、専用のキーを設ける必要がなくなり、ビデオデッキ１００のコストを低く抑えることができる。また、早送り時は早送りボタンＢ３だけを、巻戻し時は巻戻しボタンＢ４だけを押せばよいので、ユーザが磁気テープＴの走行速度を可変させようとして間違って他のキーを操作するのを防止することができる。
【００３８】
以上述べた実施形態では、本発明における表示手段をテレビモニタ３０から構成し、図９に示したように早送りまたは巻戻し時の磁気テープＴの走行速度をテレビモニタ３０にＯＳＤ表示させた場合を例に挙げているが、表示手段は、例えばビデオデッキ１００の前面に備わる表示部３から構成してもよい。図１１は、この場合の表示部３の表示例を示す図である。６０は早送りまたは巻戻し時の磁気テープＴの走行速度をブロック６１の数で表すテープ走行速度表示である。図１１では、ブロック６１が４つ表示されているので、磁気テープＴの走行速度が６０倍速であることを表している。６２は早送り中であることを表す早送り表示、６３は早送り中の磁気テープＴの位置を表すテープ位置表示である。このように磁気テープＴの走行速度を表示部３に表示させると、例えばテレビモニタ３０に電源を投入していない状態でも、早送りまたは巻戻し中に表示６０を見ながら早送りボタンＢ３または巻戻しボタンＢ４を押して、磁気テープＴの走行速度を所望の速度に確実かつ容易に可変することが可能となる。なお、図９や図１１では、磁気テープＴの走行速度をブロック５１、６１の数で表しているが、これに代えて、１００倍速、９０倍速、・・・、３０倍速というように数値で表してもよい。
【００３９】
また、上記実施形態では、本発明における指示手段を早送りボタンＢ３と巻戻しボタンＢ４とで構成した場合を例に挙げているが、これら以外に、例えば磁気テープＴの走行速度の可変を指示するための専用のキーを設けて指示手段を構成したり、既存の他のキーやボタンで指示手段を構成したりしてもよい。
【００４０】
また、上記実施形態では、図７に示したように早送りまたは巻戻し時のキャプスタン８の回転周波数の下限値、初期値、および可変段階数をＲＯＭ２０ｂに記憶した場合を例に挙げているが、これらは不揮発性メモリ２１に記憶してもよい。
【００４１】
また、上記実施形態では、図５で説明したように早送りまたは巻戻し時のキャプスタン８の回転周波数の上限値を得るために、上位装置４０で可変設定データを生成し、上位装置４０からマイコン２０にキャプスタン８の回転周波数を転送して、磁気テープＴの走行速度を可変した場合を例に挙げているが、これ以外に、上限値を得る際にも、マイコン２０で可変設定データを生成し、早送りボタンＢ３または巻戻しボタンＢ４が押される毎に、マイコン２０でキャプスタン８の回転周波数を可変設定して、磁気テープＴの走行速度を可変するようにしてもよい。なおこの場合、キャプスタン８の回転周波数の性能の上限値を、予め上位装置４０からマイコン２０に転送して、ＲＡＭ２０ｃや不揮発性メモリ２１に記憶させておく。
【００４２】
また、上記実施形態では、図１０等で説明したように早送りまたは巻戻し時のキャプスタン８の回転周波数の初期値を上限値に設定し、早送りボタンＢ３または巻戻しボタンＢ４が押される毎に、キャプスタン８の回転周波数を上限値から下限値まで１段階ずつ下げて行き、下限値の次は上限値に一気に戻るように可変設定した場合を例に挙げているが、本発明はこれのみに限定するものではない。これ以外に、例えば早送りまたは巻戻し時のキャプスタン８の回転周波数の初期値を下限値に設定し、早送りボタンＢ３または巻戻しボタンＢ４が押される毎に、キャプスタン８の回転周波数を下限値から上限値まで１段階ずつ上げて行くように可変設定してもよい。また、上限値まで設定すると、下限値に一気に戻るのではなく、上限値から下限値まで１段階ずつ下げて行くように可変設定してもよい。このようにすると、磁気テープＴの走行速度が下限値から上限値というように急激に可変しなくなるので、磁気テープＴの損傷を一層確実に防止することができ、またキャプスタン８やモータ１７等の部品の寿命を延ばすことができる。
【００４３】
また、上記実施形態では、図１０のステップＳ２で、ビデオデッキ１００を使用してから初めて早送りまたは巻戻しをする場合や、ビデオデッキ１００への電力供給が断たれた後に再び電力供給が開始されてから初めて早送りまたは巻戻しをする場合に、初期状態と判断して、早送りまたは巻戻しの開始時のキャプスタン８の回転周波数を初期値に設置した場合を例に挙げているが、本発明はこれのみに限定するものではない。これ以外に、例えば電源ボタンＢ６がＯＮされてから初めて早送りまたは巻戻しをする場合や、カセットＣを挿入口２に挿入してから初めて早送りまたは巻戻しをする場合等に、初期状態と判断して、早送りまたは巻戻しの開始時のキャプスタン８の回転周波数を初期値に設置するようにしてもよい。
【００４４】
さらに、上記実施形態では、本発明に係る磁気テープ処理装置として、ビデオデッキ１００を例に挙げたが、本発明はこれのみに限定するものではなく、これ以外に、例えばビデオデッキ一体型テレビジョン受像機、ビデオデッキ一体型ＤＶＤ（Digital Versatile Disk）レコーダ、ビデオデッキ一体型ハードディスクレコーダ、デジタルビデオカメラ、オーディオカセットデッキ等にも適用することができる。
【図面の簡単な説明】
【００４５】
【図１】ビデオデッキの外観図である。
【図２】ビデオデッキのローディング機構を示す平面図である。
【図３】ビデオデッキのローディング機構を示す平面図である。
【図４】ビデオデッキの電気的構成を示すブロック図である。
【図５】キャプスタンの回転周波数の設定状況を説明するための図である。
【図６】キャプスタンの回転周波数の設定状況を説明するための図である。
【図７】ＲＯＭの記憶内容の一例を示す図である。
【図８】不揮発性メモリの記憶内容の一例を示す図である。
【図９】テレビモニタの表示例を示す図である。
【図１０】ビデオデッキの早送りまたは巻戻し手順のフローチャートである。
【図１１】他の実施形態を示す図である。
【符号の説明】
【００４６】
３      表示部
８      キャプスタン
１８    キャプスタン制御部
２０    マイクロコンピュータ
２０ｂ  ＲＯＭ
２１    不揮発性メモリ
３０    テレビモニタ
１００  ビデオデッキ
Ｂ３    早送りボタン
Ｂ４    巻戻しボタン
Ｔ      磁気テープ
Ｙ３    可変設定データ
【図１】
2005158177.tif 000003
【図２】
2005158177.tif 000004
【図３】
2005158177.tif 000005
【図４】
2005158177.tif 000006
【図５】
2005158177.tif 000007
【図６】
2005158177.tif 000008
【図７】
2005158177.tif 000009
【図８】
2005158177.tif 000010
【図９】
2005158177.tif 000011
【図１０】
2005158177.tif 000012
【図１１】
2005158177.tif 000013